(57)【特許請求の範囲】
【請求項１】
引違い窓の一方の窓のガラス面に取付けられて、他方の窓の窓枠に装着された窓施錠装置のデッドボルトを受ける受座において、受座の正面上下中央に窓施錠装置の開閉検知センサに対応する被検出子を設け、その上下にストライク穴を対称に配置し、且つ前記被検出子及びストライク穴は受座の左右中心からいずれか一方へ変位しており、受座の上下を反転することにより、
前記引違い窓を閉じた状態で上側に位置する前記ストライク穴に前記デッドボルトが対向して、右勝手と左勝手のいずれの引違い窓にも対応できるように形成したことを特徴とする窓施錠装置の受座。
【請求項２】
上記ストライク穴の上下両壁面を底面に向かってテーパ状に末広がりとなる傾斜面とした請求項１記載の窓施錠装置の受座。
【請求項３】
上記ストライク穴の内底面の少なくとも上下両端から底面及び側面へ通じる排水溝を備えた請求項１または２記載の窓施錠装置の受座。
【請求項４】
素材がプラスチックである請求項１，２または３記載の窓施錠装置の受座。
【請求項５】
上記窓施錠装置の開閉検知センサに対応する被検出子は、受座の表面と同一高さに埋め込まれた磁石である請求項１記載の窓施錠装置の受座。
【発明の詳細な説明】
【技術分野】
【０００１】
この発明は、窓施錠装置の受座に関するものであり、特に、右勝手と左勝手のいずれの引違い窓にも対応できるようにした窓施錠装置の受座に関するものである。
【背景技術】
【０００２】
主として窓枠の補助錠として用いられる窓施錠装置において、電動式施錠機構に加えて施錠状態の窓が開放されたときに、開放を検知してその信号を送信する手段や警告音発生手段を備えた窓施錠装置が知られている（特許文献1，2，3等）。
【０００３】
開放検知手段は、窓施錠装置本体に設けた電磁式または光学式のセンサと、窓施錠装置のデッドボルトあるいは扇型ラッチプレートを受ける受座に設けた被検出子とによって構成され、施錠状態においてセンサと被検出子とは接近状態で対向していて、このときのセンサ出力は正常状態を示しており、窓が開放されたときはセンサと被検出子が離れてセンサ出力が反転し、警告音を発生するか、または集中監視装置へ窓開放信号を出力する。
【特許文献１】特開2004-190283号公報
【特許文献２】特開2004-278079号公報
【特許文献３】特開2005-213782号公報
【発明の開示】
【発明が解決しようとする課題】
【０００４】
引違い窓に上記のような窓施錠装置を取付ける場合は、ヒンジ式の回転窓、引き戸などに取付ける場合とは異なり寸法的な制約がある。即ち、引違い窓の室内側の窓に窓施錠装置を取付け、室外側の窓に受座を取付けることになるが、引違い式の窓枠相互の間には殆ど引違い隙間がないから、窓枠に受座を取付けると窓を開閉できなくなる。
【０００５】
窓を開閉できるようにするためには、特許文献２のように窓枠よりも厚さが薄い窓ガラス面に受座を接着すればよいが、受座のラッチ係合部やストライク穴などと磁石などの被検出子とを窓枠へ可及的に接近させて配置し、且つ受座の接着面積を確保する必要から、受座は左右対称形でなく錠係合部と被検出子を左右いずれかの縦辺近傍に配置した形状とならざるを得ない。
【０００６】
そして、錠係合部と磁石などの被検出子の上下位置は施錠装置本体の構成によって決定されているので、窓ガラスの右縁部に取付ける受座は、受座の右縁部にストライク穴や被検出子を配置したものとなり、窓ガラスの左縁部に取付ける受座は、受座の左縁部にストライク穴や被検出子を配置したものとなる。つまり、右勝手の引違い窓と左勝手の引違い窓とでそれぞれ専用の受座を用いなければならないという不便がある。
【０００７】
さらに、受座の厚さは、引違い隙間寸法によって制約され、ストライク穴などの錠係合部の深さが浅いことから、バール等によって窓がこじ開けられようとしたときに、窓施錠装置本体と受座との係合が簡単に外れてしまうという問題もある。
【０００８】
また、ストライク穴を設けた受座においては、窓ガラスと同様に結露した水がストライク穴内にたまりやすく、錠の開閉時に水が周囲へ飛散したり、施錠装置本体へ伝わって錆や電気的故障を生じさせたりする虞もある。
【０００９】
そこで、本発明は、右勝手と左勝手の引違い窓の双方に対応でき、窓施錠装置本体と受座との係合が外れにくく、且つストライク穴内に結露水がたまらない窓施錠装置の受座を提供することを目的とする。
【課題を解決するための手段】
【００１０】
この発明は、上記目的を達成するために提案されたものであり、請求項１記載の発明は、引違い窓の一方の窓のガラス面に取付けられて、他方の窓の窓枠に装着された窓施錠装置のデッドボルトを受ける受座において、受座の正面上下中央に窓施錠装置の開閉検知センサに対応する被検出子を設け、その上下にストライク穴を対称に配置し、且つ前記被検出子及びストライク穴は受座の左右中心からいずれか一方へ変位しており、受座の上下を反転することにより、
前記引違い窓を閉じた状態で上側に位置する前記ストライク穴に前記デッドボルトが対向して、右勝手と左勝手のいずれの引違い窓にも対応できるように形成したことを特徴とする窓施錠装置の受座を提供するものである。
【００１１】
また、請求項２記載の発明は、上記ストライク穴の上下両壁面を底面に向かってテーパ状に末広がりとなる傾斜面とした請求項１記載の窓施錠装置の受座を提供するものである。
【００１２】
また、請求項３記載の発明は、上記ストライク穴の内底面の少なくとも上下両端から底面及び側面へ通じる排水溝を備えた請求項１または２記載の窓施錠装置の受座を提供するものである。
【００１３】
また、請求項４記載の発明は、素材がプラスチックである請求項１，２または３記載の窓施錠装置の受座を提供するものである。
【００１４】
また、請求項５記載の発明は、上記窓施錠装置の開閉検知センサに対応する被検出子は、受座の表面と同一高さに埋め込まれた磁石である請求項１記載の窓施錠装置の受座を提供するものである。
【発明の効果】
【００１５】
本発明の窓施錠装置の受座は、受座の左右中心から変位した位置に配置されるストライク穴を上下対称に配置したことにより、受座の上下を反転することにより、右勝手と左勝手のいずれの引違い窓にも対応可能であり、必要とされる接着面積も確保でき、右勝手と左勝手のそれぞれに専用の受座を使用する必要がなくなり、コストを抑制することができる。
【００１６】
また、ストライク穴の上下両壁面を底面に向かってテーパ状に末広がりとなる傾斜面とすることにより、窓施錠装置のデッドボルトの先端を拡開形状としておけば、窓がこじ開けられようとしたときに、窓施錠装置のデッドボルトの先端拡開部がストライク穴の末広がり傾斜面に嵌合して窓のこじ開けが極めて困難となって防犯性能が向上する。このストライク穴の上下両壁面のテーパ形状は、テーパ状でなくストライク穴の内周縁に薄いフランジを形成してフランジでデッドボルトの引張り負荷を受ける構造よりも耐破壊強度が高いという利点がある。
【００１７】
また、ストライク穴の内底面の少なくとも上下両端から底面及び側面へ通じる排水溝を設けることにより、結露水がストライク穴から外部へ排出されて、結露水が窓施錠装置の金属部分を錆びさせたり、電気回路に故障を生じさせたりする虞が低減する。
【発明を実施するための最良の形態】
【００１８】
この発明は、引違い窓の一方の窓のガラス面に取付けられて、他方の窓の窓枠に装着された窓施錠装置のデッドボルトを受ける受座において、正面上下中央に窓施錠装置の開閉検知センサに対応する被検出子を設け、その上下にストライク穴を対称に配置し、且つ前記被検出子及びストライク穴は受座の左右中心からいずれか一方へ変位させたことにより、右勝手と左勝手のいずれの引違い窓であっても受座の上下を反転させて対応させることができ、一種類の受座で右勝手と左勝手の引違い窓の双方に対応可能な窓施錠装置の受座を提供するという目的を達成した。
【実施例１】
【００１９】
図1は窓施錠装置の受座1を示し、上下に細長い長方形プレート形部品であり、図1(c)に示すように、上下中央且つ左右中心よりも一方（同図においては右）へ変位した位置に磁石取付け穴2が形成され、磁石取付け穴2の上下へ対称にストライク穴3，4が配置されていて、方形の磁石取付け穴2にはフェライトマグネット5が埋め込まれている。
【００２０】
磁石取付け穴2と上下一対のストライク穴3，4を形成した右側部分は左側部分よりも厚さが厚くなっていて、全体の厚さは窓枠表面と窓ガラス表面との段差よりもやや薄く、受座1を窓ガラスへ取付けた場合に引違い窓の開閉に支障を来たさないようにしてある。
【００２１】
図1(e)に示すように、ストライク穴3，4の上下両端壁面はそれぞれ受座1の底面へ向かって末広がりとなる傾斜面3a，4aとなっており、傾斜面3a，4aとストライク穴3，4の内部底面との間に受座底面へ貫通する溝6が形成されている。また、図1(f)に示すように、受座1の底面には溝6のそれぞれから受座側面へ達する細い排水溝7が形成されている。尚、受座1は窓ガラスへ直接接着されるので、窓ガラスの熱割れを防止するために、素材は金属ではなく高強度プラスチックを用いることが望ましい。
【００２２】
図2に窓施錠装置の施錠機構11を示す。施錠機構11は特許文献3記載の施錠装置などと同様に、モータ12によりウォームギヤ13を回転駆動し、ウォームギヤ13にセクターギヤ14を噛合せ、セクターギヤ14と同軸のレバー15によってデッドボルト16を前進または後退させる構成である。デッドボルト16の上下両面には先端が上と下とにそれぞれ曲がったL型プレート17が取付けられている。
【００２３】
前記Ｌ型プレート１７の下側には窓開閉検出センサとしてリードスイッチ（図示せず）が配置され、その他に警告音発生用のスピーカ（図示せず）が搭載される。施錠機構１１は図示しないケースの上部に内蔵され、ケースの下部には電源電池が収容される。ケースの表面に配置された開閉スイッチ（図示せず）を押すごとに、モータ１２が正逆交互に回転し、デッドボルト１６が図２の突出位置（ロック位置）とフレーム側へ引っ込んだ解放位置とに切り替る。
【００２４】
図3及び図4は、右勝手の引違い窓に取付けた窓施錠装置11を示し、室外側に位置する左側窓LWの窓ガラスGの室内側右上隅に受座1を取付け、室内側の右側窓RWの窓枠Fの左側面上部に窓施錠装置11を取付けている。受座1はストライク穴3，4及びフェライトマグネット5が左側窓LWの右側窓枠Fに接近した姿勢で取り付けてあり、引違い窓を閉じた状態で上側のストライク穴3が窓施錠装置11のデッドボルト16に対向し、フェライトマグネット5が窓施錠装置11のリードスイッチに対向する。
【００２５】
引違い窓を閉じて窓施錠装置11の開閉スイッチを押すと、デッドボルト16が解放位置から前進し、図4(b)に示すようにその先端が上側のストライク穴3に進入して前進を停止し、引違い窓が施錠される。
【００２６】
フェライトマグネット5が窓施錠装置11のリードスイッチに対向することにより、リードスイッチがオンして窓の閉鎖が検知され、窓がこじ開けられたときはリードスイッチの前面からフェライトマグネット5が離れることによってリードスイッチがオフし、このオフ信号を検知した制御部がスピーカを駆動して警告音を発生する。
【００２７】
図5及び図6は、左勝手の引違い窓に取付けた窓施錠装置11を示し、室外側に位置する右側窓RWの窓ガラスGの室内側左上隅に受座1を取付け、室内側の左側窓LWの窓枠Fの右側面上部に窓施錠装置11を取付けている。受座1は図3及び図4の状態から上下を反転して、ストライク穴3，4及びフェライトマグネット5が右側窓RWの左側窓枠Fに接近した姿勢で取り付けてあり、引違い窓を閉じた状態で上側のストライク穴4が窓施錠装置11のデッドボルト16に対向し、フェライトマグネット5が窓施錠装置11のリードスイッチに対向する。
【００２８】
引違い窓を閉じて開閉スイッチを押すと、図4(b)と同様にデッドボルト16が解放位置から前進し、図6(b)に示すようにその先端が上側のストライク穴4に進入して前進を停止し、引違い窓が施錠される。
【００２９】
バール等によってこじ開け攻撃を受けて、左右の窓が相対的に上下へずれたときは、図4(b)及び図6(b)に示すデッドボルト16の上下両面のL型プレート17がストライク穴3または4の上または下の傾斜面3a, 4aに嵌合するので、こじ開けは困難になっている。また、ストライク穴3，4内に結露水が生じた場合は、ストライク穴3，4の上下両端の溝6及び側面へ通じる排水溝7を通じて結露水がガラス面へ排出されるので、ストライク穴3，4内に結露水が溜まることがない。
【００３０】
尚、本発明の受座は、引違い窓への対応性向上を図ったものであるが、その用途は引違い窓に限定されるものではなく、片開きの引き戸などにも使用できることは言うまでもない。また、その形状などは上記の実施形態に限定するものではなく、この発明の技術的範囲内において種々の改変が可能であり、この発明がそれらの改変されたものに及ぶことは当然である。
【図面の簡単な説明】
【００３１】
【図１】本発明の窓施錠装置の受座を示し、(a)は上側面図、(b)は右側面図、(c)は正面図、(d) は右側面図、(e) は(c)におけるA-A線矢視断面図、(f)は底面図、(g)は下側面図である。
【図２】窓施錠装置の施錠機構を示し、(a)は平面図、(b)は側面図である。
【図３】右勝手の引違い窓に窓施錠装置を取付けた状態の斜視図。
【図４】(a)は右勝手の引違い窓に受座を取付けた状態の正面図、(b)は(a)におけるA-A線矢視断面図。
【図５】左勝手の引違い窓に窓施錠装置を取付けた状態の斜視図。
【図６】(a)は左勝手の引違い窓に受座を取付けた状態の正面図、(b)は(a)におけるA-A線矢視断面図。
【符号の説明】
【００３２】
1             受座
2             磁石取付け穴
3             ストライク穴
3a     傾斜面
4             ストライク穴
4a     傾斜面
5             フェライトマグネット
6             溝
7             排水溝
11            施錠機構
16            デッドボルト
17            L型プレート
【図１】
0004720421.tif 000002
【図２】
0004720421.tif 000003
【図３】
0004720421.tif 000004
【図４】
0004720421.tif 000005
【図５】
0004720421.tif 000006
【図６】
0004720421.tif 000007